(57)【特許請求の範囲】
【請求項１】
シート状物を保持して搬送する搬送手段と、
前記搬送手段より解放されたシート状物を積載するシート積載手段と、
前記搬送手段により搬送される前記シート状物を減速させ、前記シート状物の搬送方向へ移動可能に支持されたシート減速手段と、
前記搬送手段の下側に配設されて前記搬送手段による前記シート状物の搬送速度とほぼ同じ速度で前記シート状物を案内する案内手段と、
を備えた枚葉印刷機のシート状物案内装置において、
前記案内手段を支持する一対の回転体と、
前記一対の回転体を互いの回転体間の距離が不変となるように連結する移動部材と、
を備え、
前記一対の回転体は、前記シート状物の搬送方向へ移動可能に支持されると共に、前記シート減速手段に連結されて前記シート減速手段の移動に追従して移動する一方の回転体と、移動可能に支持された他方の回転体とから構成されることを特徴とする枚葉印刷機のシート状物案内装置。
【請求項２】
前記案内手段は複数ローラ間に掛け回されたベルトであり、前記一対の回転体は前記複数ローラのうちのブラケットに支持されて移動可能な二つのローラであると共に、これら両ローラの一方のブラケットが前記シート減速手段としての吸引装置に連結し、かつ前記両ローラのブラケット間が屈曲したチェーンガイドに沿って移動可能な前記移動部材としてのチェーンで連結されることを特徴とする請求項１記載の枚葉印刷機のシート状物案内装置。
【発明の詳細な説明】
【０００１】
【発明の属する技術分野】
本発明は、枚葉印刷機のシート状物案内装置に関する。
【０００２】
【従来の技術】
この種装置として、例えば特開平４−２１１９４３号公報に開示されたものがある。
【０００３】
これは、印刷ユニットからの印刷紙をチェーン牽引搬送機構と搬送ガイド機構との間に画定された排紙路を通して紙積装置に排出する枚葉印刷機において、前記搬送ガイド機構を搬送方向（天地方向）に延在してかつチェーン牽引搬送機構と同調して周回駆動される搬送ベルト（テープ）により構成するものである。
【０００４】
また、前記搬送ベルトを吸引車（バキュームホイール）に接続し、紙サイズの変更に応じて搬送方向に移動可能な吸引車と連動して同搬送方向に移動し得るようになっている。そして、この搬送ベルトの弛み側への動作時における弛み取りは搬送ベルトの巻回途中に介在させた重錘により行っていた。
【０００５】
【発明が解決しようとする課題】
前述したように、吸引車の移動の際における搬送ベルトの弛み側への動作時には、搬送ベルトの巻回途中に介在させた重錘により行っていたため、搬送ベルトのテンションがそのまま吸引車の移動の負荷となるため、吸引車の移動に大きな力が必要となる、即ち、重錘の重さに打ち勝つ程の駆動源を必要とし、コストアップを招来するという問題点があった。
【０００６】
また、吸引車の移動時に、重錘によって搬送ベルトが伸び、テンション変化をもたらす虞があると共に、重錘が何かの拍子に斜めに傾いた場合、搬送ベルトが弛む虞もあった。
【０００７】
そこで、本発明の目的は、シート減速手段の移動時に、案内手段が良好に追従でき、円滑な搬送を実現すると共に前記シート減速手段の駆動源の小容量化が図れる枚葉印刷機のシート状物案内装置を提供することにある。
【０００８】
【課題を解決するための手段】
上記目的を達成するために、本発明に係る枚葉印刷機のシート状物案内装置は、シート状物を保持して搬送する搬送手段と、前記搬送手段より解放されたシート状物を積載するシート積載手段と、前記搬送手段により搬送される前記シート状物を減速させ、前記シート状物の搬送方向へ移動可能に支持されたシート減速手段と、前記搬送手段の下側に配設されて前記搬送手段による前記シート状物の搬送速度とほぼ同じ速度で前記シート状物を案内する案内手段と、を備えた枚葉印刷機のシート状物案内装置において、前記案内手段を支持する一対の回転体と、前記一対の回転体を互いの回転体間の距離が不変となるように連結する移動部材と、を備え、前記一対の回転体は、前記シート状物の搬送方向へ移動可能に支持されると共に、前記シート減速手段に連結されて前記シート減速手段の移動に追従して移動する一方の回転体と、移動可能に支持された他方の回転体とから構成されることを特徴とする。
【０００９】
また、前記案内手段は複数ローラ間に掛け回されたベルトであり、前記一対の回転体は前記複数ローラのうちのブラケットに支持されて移動可能な二つのローラであると共に、これら両ローラの一方のブラケットが前記シート減速手段としての吸引装置に連結し、かつ前記両ローラのブラケット間が屈曲したチェーンガイドに沿って移動可能な前記移動部材としてのチェーンで連結されることを特徴とする。
【００１０】
上記構成によれば、シート減速手段の移動時に、当該シート減速手段駆動源に負荷をかけることなく、案内手段が良好に追従でき、円滑な搬送を実現すると共に前記シート減速手段の駆動源の小容量化が図れる。
【００１１】
また、屈曲したチェーンガイドに沿って移動可能なチェーンを用いると、他物との干渉やスペースの増大等を回避してベルトを吸引装置に対して効果的に追従させられる。
【００１２】
【発明の実施の形態】
本発明に係る枚葉印刷機のシート状物案内装置を実施例により図面を用いて詳細に説明する。
【００１３】
［第一実施例］
図１は本発明の第一実施例を示す枚葉印刷機のシート状物案内装置の側面図、図２は同じく要部の展開平面図、図３は同じく異なった要部の展開平面図、図４は同じく図１のＡ矢視断面図、図５は同じく原動側外視図、図６は同じくベルトの巻回模式図である。
【００１４】
図１に示すように、搬送手段としてのチェーン１は前後一対のスプロケット２に巻回され周回駆動される。チェーン１には紙搬送胴４からシート状物としての印刷紙を受け取るグリッパ５が紙幅方向に複数個設けられると共に、これらグリッパ４はそれぞれチェーン１の長手方向に一定間隔で配置される。
【００１５】
前記グリッパ５により保持された印刷紙は、前記チェーン１の走行によりシート積載手段としての排紙紙積装置６の上方まで搬送されると、図示しないカム機構によりグリッパ５による把持から解放されて排紙紙積装置６に積載される。その際、チェーン１の走行速度より若干遅い周速で回転駆動される吸引面をそれぞれ備えた吸引車７ａ，７ｂ，７ｃを紙幅方向に複数個（図中では３個）備えたシート減速手段としての吸引装置７により印刷紙が減速される。
【００１６】
前記グリッパ５により搬送される印刷紙を案内する案内手段としてのベルト８が前記チェーン１の下側に設けられている。このベルト８は、図６にも示すように、駆動ローラ９，テンションローラ１０，従動ローラ１１〜１４の６個の回転体としてのローラに巻回され、従動ローラ１１と１４との間の紙案内区域でチェーン１と平行に支持されており、さらにベルト８はチェーン１の走行速度とほぼ同じ速度で走行する。
【００１７】
尚、図５にも示すように、前記駆動ローラ９の駆動ギヤ９ａには、中間ギヤ３０，スプロケット２の駆動ギヤ２ａ及び紙搬送胴４の駆動ギヤ４ａを介して機械の原動側から動力が伝達されるようになっている。
【００１８】
前記従動ローラ１１を支持するブラケット１５は、紙サイズの変更により紙搬送方向に移動する前記吸引装置７と連結され、当該吸引装置７の移動に伴い従動ローラ１１も紙搬送方向に移動することになる。
【００１９】
そして、前記従動ローラ１１の移動に伴い従動ローラ１３も移動するように両ローラ１１，１３が連結されている。即ち、従動ローラ１１を支持するブラケット１５と従動ローラ１３を支持するブラケット１６には移動部材としてのチェーン１７の各端部が連結固定され、このチェーン１７は、図４にも示すように、機械フレーム３１側に固定されたチェーンガイド１８に案内されている。
【００２０】
尚、図４中３２は前記チェーン１のチェーンガイドであり、３３は左右のチェーン１７を規制している部材で、３４は吸引装置７の図示しないバキュームホースを案内する部材である。
【００２１】
前記ベルト８は、最大紙の紙幅をカバーする幅広のベルトであり、その材質はポリエステルの縦糸と横糸からなる布の上面にウレタンをコーティングし、下面にウレタンを含浸させてインキが付きにくい表面処理が施されたものである。また、このベルトの使用温度範囲は−１０℃〜１００℃であるが、本実施例では室温下での使用になる。
【００２２】
また、排紙紙積装置６の上方には複数個のファン１９が設けられ、このファン１９はグリッパ５の把持から解除された印刷紙を排紙紙積装置６上に落とすためのものである。
【００２３】
また、図１中２０は、グリッパ５により搬送される印刷紙の下面を吹いて、従動ローラ１４と紙搬送胴４との間の区域（ベルト８で案内されない区域）で印刷紙が垂れないようにするエアノズルである。２１はグリッパ５により搬送される印刷紙の上面を吹いて、印刷紙を紙搬送胴４の周面上に押し付けるエアノズルである。
【００２４】
このように構成されるため、紙搬送胴４からチェーン１のグリッパ５に受け取られた印刷紙は、前記チェーン１の走行により、その下面側が当該チェーン１と略同一速度で走行するベルト８に案内されつつ、排紙紙積装置６の上方まで搬送される。
【００２５】
ここで、グリッパ５による把持から解放されると共に吸引装置７により減速されて排紙紙積装置６に積載される。
【００２６】
この際、本実施例では、前記ベルト８により印刷紙の紙尻側におけるバタツキ等が防止されて円滑に搬送される。勿論、ベルト８はチェーン１と略同一速度で走行するので、印刷紙とのこすれはない。
【００２７】
また、紙サイズの変更に応じて吸引装置７を図示しない駆動源により搬送方向に移動させると、同吸引装置７に連結する前方の従動ローラ１１も同方向に移動する。一方、後方の従動ローラ１３もまた前方の従動ローラ１１とチェーン１７により連結されているため、前方の従動ローラ１１に追従して移動する。
【００２８】
その間、二本のローラ１１，１３の移動によって、ベルト８の軌道長さにほとんど変化を与えないため、ベルトテンションは変化しない。
【００２９】
このようにして本実施例では、吸引装置７の移動時に、当該吸引装置７駆動源に負荷をかけることなく、ベルト８が良好に追従できるので、円滑な搬送を実現すると共に前記吸引装置７の駆動源の小容量化が図れる。
【００３０】
また、後半部が斜め下方に屈曲したチェーンガイド１８に沿ってチェーン１７を移動可能に構成したので、他物との干渉やスペースの増大等を回避してベルト８を吸引装置７に対して効果的に追従させられる。
【００３１】
［第二実施例］
図７は本発明の第二実施例を示す枚葉印刷機のシート状物案内装置の要部平面図である。
【００３２】
これは、先の第一実施例におけるチェーンガイド１８等が真っ直ぐな経路で良い場合に、二本のローラ１１，１３間を支持する複数の棒状体４０を設け、真っ直ぐな縦案内ガイド４１でピン４２の移動を案内するか、横案内ガイド４３で棒状体４０の移動を案内するようにした例であり、第一実施例と同様の作用・効果が得られる。尚、図中４４はステーで、４５はローラ１１，１３を支持するブラケットである。
【００３３】
尚、本発明は上記実施例に限定されず、本発明の要旨を逸脱しない範囲で、案内手段としてのベルト８に代えてひものようなものを用いる等各種変更が可能であることはいうまでもない。
【００３４】
【発明の効果】
以上説明したように本発明によれば、シート状物を保持して搬送する搬送手段と、前記搬送手段より解放されたシート状物を積載するシート積載手段と、前記搬送手段により搬送される前記シート状物を減速させ、前記シート状物の搬送方向へ移動可能に支持されたシート減速手段と、前記搬送手段の下側に配設されて前記搬送手段による前記シート状物の搬送速度とほぼ同じ速度で前記シート状物を案内する案内手段と、を備えた枚葉印刷機のシート状物案内装置において、前記案内手段を支持する一対の回転体と、前記一対の回転体を互いの回転体間の距離が不変となるように連結する移動部材と、を備え、前記一対の回転体は、前記シート状物の搬送方向へ移動可能に支持されると共に、前記シート減速手段に連結されて前記シート減速手段の移動に追従して移動する一方の回転体と、移動可能に支持された他方の回転体とから構成されるので、シート減速手段の移動時に、当該シート減速手段駆動源に負荷をかけることなく、案内手段が良好に追従でき、円滑な搬送を実現すると共に前記シート減速手段駆動源の小容量化が図れる。
【００３５】
また、前記案内手段は複数ローラ間に掛け回されたベルトであり、前記一対の回転体は前記複数ローラのうちのブラケットに支持されて移動可能な二つのローラであると共に、これら両ローラの一方のブラケットが前記シート減速手段としての吸引装置に連結し、かつ前記両ローラのブラケット間が屈曲したチェーンガイドに沿って移動可能な前記移動部材としてのチェーンで連結されるので、他物との干渉やスペースの増大等を回避してベルトを吸引車装置に対して効果的に追従させられる。
【図面の簡単な説明】
【図１】本発明の第一実施例を示す枚葉印刷機のシート状物案内装置の側面図である。
【図２】同じく要部の展開平面図である。
【図３】同じく異なった要部の展開平面図である。
【図４】同じく図１のＡ矢視断面図である。
【図５】同じく原動側外視図である。
【図６】同じくベルトの巻回模式図である。
【図７】本発明の第二実施例を示す枚葉印刷機のシート状物案内装置の要部平面図である。
【符号の説明】
１  チェーン
２  スプロケット
４  紙搬送胴
５  グリッパ
６  排紙紙積装置
７  吸引装置
８  ベルト
９  駆動ローラ
１０  テンションローラ
１１〜１４  従動ローラ
１５，１６  ブラケット
１７  チェーン
１８  チェーンガイド
１９  ファン
２０  エアノズル
２１  エアノズル
３０  中間ギヤ
３１  機械フレーム
３２  チェーンガイド
３３  左右のチェーンを規制している部材
３３  バキュームホースを案内する部材
４０  棒状体
４１  縦案内ガイド
４２  ピン
４３  横案内ガイド
４４  ステー
４５  ブラケット
【図１】
0004136112.tif 000002
【図２】
0004136112.tif 000003
【図３】
0004136112.tif 000004
【図４】
0004136112.tif 000005
【図５】
0004136112.tif 000006
【図６】
0004136112.tif 000007
【図７】
0004136112.tif 000008